(57)【要約】【課題】  携帯電話機やＰＨＳ等の移動端末機器にて、各種コンテンツデータを、記録装置の記録容量を超えて仮想的に記録できるようにした移動体通信システムおよび移動端末機器を提供する。【解決手段】  無線通信回線網３００を提供する移動体交換システム２００と、無線通信回線網を介してこの移動体交換システムに接続されると共に、各種コンテンツデータを格納する記憶手段１３０を備えた移動端末機器１００と、から成る移動体通信システム１０において、上記移動端末機器が、上記記憶手段内に仮想フォルダ１３１を備え、コンテンツデータの記録時に、上記仮想フォルダ内の実メモリに格納すると共に、無線通信回線網を介して移動体交換システム内に前もって登録した仮想記憶データ格納エリア２２１に当該コンテンツデータを転送するように、移動体通信システム１０を構成する。【選択図】        図１
2005228242.tif 000002
【特許請求の範囲】
【請求項１】
無線通信回線網を提供する移動体交換システムと、無線通信回線網を介してこの移動体交換システムに接続され、この移動体交換システムにより相互接続されて通信を行なうと共に、撮像手段等によりまたは無線通信回線網を介して取得した各種コンテンツデータを格納する記憶手段を備えた複数個の移動端末機器と、から成る移動体通信システムにおいて、
上記移動端末機器が、上記記憶手段内に、仮想フォルダを備えており、コンテンツデータを記録するとき、上記仮想フォルダ内にて実メモリに格納すると共に、無線通信回線網を介して移動体交換システム内に前もって登録した仮想記憶データ格納エリアに転送する
ことを特徴とする移動体通信システム。
【請求項２】
上記移動端末機器が、コンテンツデータをその記憶手段に格納する際、上記記憶手段の実メモリの空き容量が足りないときには、既に上記記憶装置に格納されているコンテンツデータのうち、優先度が低いコンテンツデータを削除することにより、上記実メモリの空き容量を確保してから、当該コンテンツデータを格納することを特徴とする請求項１に記載の移動体通信システム。
【請求項３】
上記移動端末機器が、コンテンツデータを実メモリから削除する際、アクセス頻度を優先度とすることを特徴とする請求項２に記載の移動体通信システム。
【請求項４】
上記移動端末機器が、上記仮想フォルダの表示を行なう場合、空き容量確保のため削除されたコンテンツデータも表示することを特徴とする請求項２または３に記載の移動体通信システム。
【請求項５】
上記移動端末機器が、その記憶手段に格納されているコンテンツデータが指定されたとき、上記記憶手段から当該コンテンツデータを読み出すと共に、空き容量確保のため削除されたコンテンツデータが指定されたとき、無線通信回線網を介して、上記移動体交換システムの仮想記憶データ格納エリアから、当該コンテンツデータを読み出して、一旦記憶手段の実メモリに格納することを特徴とする請求項２〜４のいずれかに記載の移動体通信システム。
【請求項６】
上記移動端末機器が、コンテンツデータをその記憶手段に格納する際、上記記憶手段の実メモリの空き容量が足りないときには、既に上記記憶装置に格納されているコンテンツデータのうち、優先度が低いコンテンツデータを削除することにより、実メモリの空き容量を確保してから、当該コンテンツデータを格納することを特徴とする請求項５に記載の移動体通信システム。
【請求項７】
上記移動端末機器が、データ圧縮・展開手段を備えており、コンテンツデータを移動体交換システムに転送する際には、当該コンテンツデータを上記データ圧縮・展開手段により圧縮して転送すると共に、コンテンツデータを移動体交換システムから受信する際には、受信したコンテンツデータを上記データ圧縮・展開手段により展開することを特徴とする請求項１〜６のいずれかに記載の移動体通信システム。
【請求項８】
上記移動端末機器が、データ暗号化手段を備えており、コンテンツデータを移動体交換システムに転送する際には、当該コンテンツデータを上記データ暗号化手段により暗号化して転送すると共に、コンテンツデータを移動体交換システムから受信する際には、受信したコンテンツデータを上記データ暗号化手段により復号化することを特徴とする請求項１〜７のいずれかに記載の移動体通信システム。
【請求項９】
上記移動端末機器が、仮想フォルダ内の削除すべきコンテンツデータが指定されたとき、移動体交換システムの仮想記憶データ格納エリアに格納されている当該コンテンツデータを削除すると共に、当該コンテンツデータが上記記憶手段の実メモリに格納されている場合には、実メモリ上のこのコンテンツデータも削除することを特徴とする請求項１〜８のいずれかに記載の移動体通信システム。
【請求項１０】
無線通信回線網を介して移動体交換システムに接続され、さらに移動体交換システムにより他の移動端末機器と相互接続されて通信を行なうと共に、撮像手段等によりまたは無線通信回線網を介して取得した各種コンテンツデータを格納する記憶手段を備えた移動端末機器であって、
上記記憶手段内に、仮想フォルダを備えており、コンテンツデータを格納するとき、上記仮想フォルダ内にて実メモリに格納すると共に、無線通信回線網を介して移動体交換システム内に前もって登録した仮想記憶データ格納エリアに転送し、またこのコンテンツデータが指定されたとき、無線通信回線網を介して移動体交換システムの仮想記憶データ格納エリアから、当該コンテンツデータを読み出すことを特徴とする移動端末機器。
【発明の詳細な説明】
【技術分野】
【０００１】
本発明は、例えば携帯電話機やＰＨＳ等の移動端末機器における各種ファイルの格納のための技術に関する。
【背景技術】
【０００２】
近年、携帯電話機は、大画面カラー液晶表示装置の搭載やインターネット接続により、単なる電話機からマルチメディア端末として機能が拡大してきており、デジタルカメラ機能をも搭載することによって、静止画や動画の撮像，音声の録音再生，オーディオファイルの再生等の機能を備えるようになってきている。
このようなマルチメディア機能の実現により、取り扱われるコンテンツも大容量かつ多数となり、携帯電話機のメモリに蓄積されるファイル容量も巨大化している。
しかしながら、携帯電話機に搭載されるメモリの容量は徐々に増大されているが、蓄積すべき各種ファイルの巨大化に伴って、膨大な数のファイルがメモリに蓄積されることになり、恒常的にメモリ不足となっている。
【０００３】
これに対して、例えば特許文献１においては、携帯端末に保存されたデータを効率良く表示するようにしたデータ表示装置が開示されている。
この構成によれば、携帯端末は、その記憶装置に記憶されている特定のファイルまたはフォルダの表示指示に基づいて、当該ファイルまたはフォルダのアイコンを作成すると共に、仮想フォルダのアイコンを作成して、他のファイルまたはフォルダを分類して仮想フォルダに格納した状態で表示するようになっている。
これにより、当該ファイルまたはフォルダ以外のファイルまたはフォルダを容易に選択して、表示することができるようになっている。
【０００４】
また、特許文献２においては、例えばデジタルカメラで撮像した画像データを、このデジタルカメラに装着された通信機能付き仮想メモリカードにより、例えば携帯電話回線網を介して、データサーバに送信・登録すると共に、携帯電話機からインターネットを介してデータサーバに接続して、当該画像データを読み出すようにした、仮想メモリ無線通信システムが開示されている。
この構成によれば、データサーバにおけるユーザ利用可能メモリ容量のメモリ空間を、デジタルカメラの仮想メモリカードとして利用し得ると共に、このメモリ空間の容量を携帯電話機により前もって設定することができるようになっている。
【特許文献１】特開２００２−３２８８２１号公報
【特許文献２】特開２００３−３２４３７９号公報
【発明の開示】
【発明が解決しようとする課題】
【０００５】
しかしながら、上述した特許文献１によるデータ表示装置は、携帯端末の記憶装置内に記録された多数のファイルまたはフォルダを分類して、仮想フォルダに格納して表示することにより、各ファイルまたはフォルダを容易に選択して表示させることができるようになっているが、携帯端末の有限の記憶装置の容量を越えて、ファイルを記録することはできなかった。
【０００６】
また、上述した特許文献２による仮想メモリ無線通信システムは、デジタルカメラで撮像した画像データを、仮想メモリカードから携帯電話回線網を介して、当該デジタルカメラの仮想記憶装置として作用するデータサーバ内のユーザ利用可能メモリ容量のメモリ空間内に記録することができると共に、データサーバに記録された画像データを携帯電話機により読み出すことができる。
しかしながら、このような仮想メモリカードを携帯電話機に装着したとしても、仮想メモリカード内に画像データが記録されるのではなく、データサーバに記録されることから、特定の画像データを読み出したい場合には、必ずデータサーバにアクセスする必要があり、通信コストがかかってしまうと共に、当該画像データ取得のために時間がかかってしまうことになる。
【０００７】
本発明は、上記の問題を解決すべくなされたものであり、携帯電話機やＰＨＳ等の移動端末機器にて、通話，メールや撮像手段により撮像した撮像データ等の各種コンテンツデータを、記録装置の記録容量を超えて仮想的に記録できるようにした移動体通信システムおよび移動端末機器の提供を目的とする。
【課題を解決するための手段】
【０００８】
この目的を達成するため、本発明の請求項１記載の移動体通信システムは、無線通信回線網を提供する移動体交換システムと、無線通信回線網を介してこの移動体交換システムに接続され、この移動体交換システムにより相互接続されて通信を行なうと共に、撮像手段等によりまたは無線通信回線網を介して取得した各種コンテンツデータを格納する記憶手段を備えた複数個の移動端末機器と、から成る移動体通信システムにおいて、上記移動端末機器が、上記記憶手段内に、仮想フォルダを備えており、コンテンツデータを記録するとき、上記仮想フォルダ内にて実メモリに格納すると共に、無線通信回線網を介して移動体交換システム内に前もって登録した仮想記憶データ格納エリアに転送する構成としてある。
【０００９】
移動体通信システムをこのような構成とすると、移動端末機器にて、撮像手段等により得た撮像データ，音声データ等のデータや無線通信回線網を介して取得した画像付きメールを含むメール等やダウンロードしたコンテンツデータ等の各種コンテンツデータを記憶手段に記録する際に、当該コンテンツデータを上記記憶手段の仮想フォルダ内にて実メモリに格納すると共に、無線通信回線網を介して、移動体交換システムの仮想記憶データ格納エリアに転送して、保存する。
【００１０】
これにより、上記実メモリの容量の範囲内では、コンテンツデータが移動端末機器の記憶手段と移動体交換システムの仮想記憶データ格納エリアの双方に格納されると共に、実メモリの空き容量が不足したとしても、当該コンテンツデータが移動体交換システムの仮想記憶データ格納エリアに保存されるので、移動端末機器の記憶手段の記憶容量を超えた容量のコンテンツデータを格納することができることになる。
また、何らかの原因によって、移動端末機器の記憶装置に格納されたコンテンツデータが読出不可能になったり、あるいは削除または消失してしまった場合でも、移動体交換システムの仮想記憶データ格納エリアに格納されたコンテンツデータをバックアップデータとして利用することができる。
【００１１】
請求項２記載の移動体通信システムは、上記移動端末機器が、コンテンツデータをその記憶手段に格納する際、上記記憶手段の実メモリの空き容量が足りないときには、既に上記記憶装置に格納されているコンテンツデータのうち、優先度が低いコンテンツデータを削除することにより、上記実メモリの空き容量を確保してから、当該コンテンツデータを格納する構成としてある。
請求項３記載の移動体通信システムは、上記移動端末機器が、コンテンツデータを実メモリから削除する際、アクセス頻度を優先度とする構成としてある。
【００１２】
移動体通信システムをこのような構成とすると、新しいコンテンツデータを記録する場合に、移動端末機器の記憶手段内に、優先度例えばアクセス頻度の低いコンテンツデータを削除することにより、当該新しいコンテンツデータを格納するための空き容量を確保して、当該新しいコンテンツデータを確実に移動端末機器の記憶手段に格納することができる。
これにより、移動端末機器の記憶手段の限られた記憶容量を有効に利用することができると共に、新しいコンテンツデータおよび優先度の比較的高いコンテンツデータが移動端末機器の記憶手段に格納されることにより、これらのコンテンツデータを読み出すときには、移動体交換システムの仮想記憶データ格納エリアから読み出す必要がなく、移動端末機器の記憶手段から迅速に読み出すことができる。
【００１３】
請求項４記載の移動体通信システムは、上記移動端末機器が、上記仮想フォルダの表示を行なう場合、空き容量確保のため削除されたコンテンツデータも表示する構成としてある。
【００１４】
移動体通信システムをこのような構成とすると、移動体交換システムのユーザ領域のみに保存されているコンテンツデータも、移動端末機器の記憶手段内に格納されているコンテンツデータと同様に一覧表示されることになるので、使用者にとっては、すべてのコンテンツデータが移動端末機器の記憶手段内に格納されているように見えるので、個々のコンテンツデータに関する各種操作を同一操作で行なうことができる。
【００１５】
請求項５記載の移動体通信システムは、上記移動端末機器が、その記憶手段に格納されているコンテンツデータが指定されたとき、上記記憶手段から当該コンテンツデータを読み出すと共に、空き容量確保のため削除されたコンテンツデータが指定されたとき、無線通信回線網を介して、上記移動体交換システムの仮想記憶データ格納エリアから、当該コンテンツデータを読み出して、一旦記憶手段の実メモリに格納する構成としてある。
【００１６】
移動体通信システムをこのような構成とすると、移動端末機器の記憶手段に格納されているコンテンツデータが指定されたとき、上記記憶手段から当該コンテンツデータを読み出すことにより、当該コンテンツデータを迅速に読み出すことができる。また、空き容量確保のため削除されたコンテンツデータが指定されたときには、無線通信回線網を介して、上記移動体交換システムの仮想記憶データ格納エリアから、移動端末機器の記憶手段に当該コンテンツデータを転送することにより、記憶手段に格納されているコンテンツデータと同様に扱うことができる。
【００１７】
請求項６記載の移動体通信システムは、上記移動端末機器が、コンテンツデータをその記憶手段に格納する際、上記記憶手段の実メモリの空き容量が足りないときには、既に上記記憶装置に格納されているコンテンツデータのうち、優先度が低いコンテンツデータを削除することにより、実メモリの空き容量を確保してから、当該コンテンツデータを格納する構成としてある。
【００１８】
移動体通信システムをこのような構成とすると、移動体交換システムの仮想記憶データ格納エリアからコンテンツデータを移動端末機器の記憶手段内に転送する場合に、移動端末機器の記憶手段内にて、優先度例えばアクセス頻度の低いコンテンツデータを削除することにより、転送したコンテンツデータを格納するための空き容量を確保して、当該転送したコンテンツデータを確実に移動端末機器の記憶手段に格納することができる。
【００１９】
請求項７記載の移動体通信システムは、上記移動端末機器が、データ圧縮・展開手段を備えており、コンテンツデータを移動体交換システムに転送する際には、当該コンテンツデータを上記データ圧縮・展開手段により圧縮して転送すると共に、コンテンツデータを移動体交換システムから受信する際には、受信したコンテンツデータを上記データ圧縮・展開手段により展開する構成としてある。
【００２０】
移動体通信システムをこのような構成とすると、移動端末機器が無線通信回線網を介して移動体交換システムに転送し、あるいは移動体交換システムから読み出すコンテンツデータが上記データ圧縮・展開手段により圧縮された状態であることから、無線通信回線網を介して伝送するコンテンツデータのデータ量が圧縮により低減される。これにより、無線通信回線網の伝送時間が短縮されると共に、伝送コストが低減されることになる。また、移動体交換システムに備えられる仮想記憶データ格納エリアの限られたメモリ容量が有効に利用され得ることになる。
【００２１】
請求項８記載の移動体通信システムは、上記移動端末機器が、データ暗号化手段を備えており、コンテンツデータを移動体交換システムに転送する際には、当該コンテンツデータを上記データ暗号化手段により暗号化して転送すると共に、コンテンツデータを移動体交換システムから受信する際には、受信したコンテンツデータを上記データ暗号化手段により復号化する構成としてある。
【００２２】
移動体通信システムをこのような構成とすると、移動端末機器が無線通信回線網を介して移動体交換システムに転送し、あるいは移動体交換システムから読み出すコンテンツデータが上記データ暗号化手段により暗号化された状態であることから、当該移動端末機器から外部に転送されるコンテンツデータが常に暗号化されていることになる。これにより、当該コンテンツデータのセキュリティが確保されることになる。
【００２３】
請求項９記載の移動体通信システムは、上記移動端末機器が、仮想フォルダ内の削除すべきコンテンツデータが指定されたとき、移動体交換システムの仮想記憶データ格納エリアに格納されている当該コンテンツデータを削除すると共に、当該コンテンツデータが上記記憶手段の実メモリに格納されている場合には、実メモリ上のこのコンテンツデータも削除する構成としてある。
【００２４】
移動体通信システムをこのような構成とすると、削除すべきコンテンツデータが指定されたときには、移動体交換システムの仮想記憶データ格納エリアおよび移動端末機器の記憶手段の双方に、または移動体交換システムの仮想記憶データ格納エリアのみに、格納されている当該コンテンツデータが確実に削除されることになる。
【００２５】
また、上記目的を達成するため、本発明の請求項１０記載の移動端末機器は、無線通信回線網を介して移動体交換システムに接続され、さらに移動体交換システムにより他の移動端末機器と相互接続されて通信を行なうと共に、撮像手段等によりまたは無線通信回線網を介して取得した各種コンテンツデータを格納する記憶手段を備えた移動端末機器であって、上記記憶手段内に、仮想フォルダを備えており、コンテンツデータを格納するとき、上記仮想フォルダ内にて実メモリに格納すると共に、無線通信回線網を介して移動体交換システム内に前もって登録した仮想記憶データ格納エリアに転送し、またこのコンテンツデータが指定されたとき、無線通信回線網を介して移動体交換システムの仮想記憶データ格納エリアから、当該コンテンツデータを読み出す構成としてある。
本発明は、このように移動端末機器としても実現化することができる。
【発明を実施するための最良の形態】
【００２６】
以下、本発明の実施の形態について、図面を参照して説明する。
【００２７】
本発明の移動体通信システムの第一の実施形態について、図１を参照して説明する。
図１は、移動体通信システムの構成を示すブロック図である。
【００２８】
図１に示すように、移動体通信システム１０は、移動端末機器１００と、移動体交換システム２００と、を含んでおり、ネットワーク３００のサービスエリア内にて、無線基地局４００を介して移動体通信サービスを提供する。
【００２９】
上記移動端末機器１００は、前もって移動体通信システム１０の提供する移動体通信サービスに加入者登録されている。
なお、図１においては、移動端末機器１００は一つのみが図示されているが、実際には多数の移動端末機器１００がネットワーク３００を介して移動体交換システム２００に接続され、さらに移動体交換システム２００の交換制御動作によって相互接続されるようになっている。
【００３０】
ここで、上記移動端末機器１００は、公知の構成であって、制御部１１０，入力操作部１２０，記憶装置１３０，表示部１４０，マイク１５０，スピーカ１６０およびカメラ１７０を設けてあり、上記制御部１１０は、移動体制御ソフトウェア１１１により制御されて、または入力操作部１２０からの入力操作に基づいて、所定の各種動作を行なうようになっている。
【００３１】
そして、上記制御部１１０は、マイク１５０からの音声信号やカメラ１７０により撮像された静止画または動画の画像データをコンテンツデータとして記憶装置１３０に格納することができるようになっている。
さらに、上記制御部１１０は、ネットワーク３００を介してダウンロードしたオーディオ，ビデオ等の各種データを含むコンテンツデータを記憶装置１３０に格納することができるようになっている。
【００３２】
上記制御部１１０は、本発明に基づいて、記憶装置１３０に仮想フォルダ１３１を設けてあり、各種コンテンツデータを記憶装置１３０に格納する際に、この仮想フォルダ１３１内に格納すると共に、そのコンテンツデータの優先度、例えばアクセス頻度を記録するようになっている。
その際、上記制御部１１０は、格納すべき各種コンテンツデータの実データを記憶装置１３０の実メモリに格納すると共に、ネットワーク３００を介して、後述する移動体交換システム２００の仮想記憶データ格納エリア（後述）に転送するようになっている。
【００３３】
さらに、上記制御部１１０は、各種コンテンツデータの実データを記憶装置１３０の実メモリに格納する際に、実メモリの空き容量をチェックして、この空き容量が当該格納すべきコンテンツデータのデータ容量と比較して不足する場合には、既に記憶装置１３０に格納されているコンテンツデータのうち、優先度例えばアクセス頻度が低いコンテンツデータを削除して、上記実メモリの空き容量を確保した後、当該コンテンツデータを実メモリに格納するようになっている。
この場合、上記制御部１１０は、この削除したコンテンツデータに関して、仮想フォルダおよび移動体交換システム２００の仮想記憶データ格納エリアのコンテンツデータは削除しない。
【００３４】
これにより、上記仮想フォルダ１３１は、実メモリの空き容量確保のために削除されたコンテンツデータを含んでいるので、制御部１１０が仮想フォルダ１３１の表示を行なう場合、実メモリから削除されたコンテンツデータも表示することができる。
したがって、上記制御部１１０が指定されたコンテンツデータを仮想フォルダで検索したとき、当該コンテンツデータが移動端末機器１００の記憶装置１３０の実メモリ上に存在しなくても、ネットワーク３００を介して移動体交換システム２００の仮想記憶データ格納エリアに格納された当該コンテンツデータにアクセスすることができるようになっている。
【００３５】
また、上記制御部１１０は、スピーカ１６０から再生したり、表示部１４０に表示させるために所定のコンテンツデータを読み込む場合、仮想フォルダ１３１に一覧表示されたコンテンツデータが入力操作部１２０で指定されると、当該コンテンツデータの実データを記憶装置１３０の実メモリから読み込もうとする。
そして、実メモリ上に当該コンテンツデータが存在しない場合には、上記制御部１１０は、ネットワーク３００を介して、移動体交換システム２００に当該コンテンツデータの転送を指示する。
【００３６】
これにより、移動体交換システム２００は、その仮想記憶データ格納エリアに格納されている当該コンテンツデータを読み出して、ネットワーク３００を介して当該移動端末機器１００に転送する。
これを受けて、移動端末機器１００の制御部１１０は、移動体交換システム２００から転送されてくるコンテンツデータを、一旦その記憶装置１３０の実メモリに格納する。
この際、上記制御部１１０は、同様に実メモリの空き容量をチェックして、不足している場合には空き容量を確保してから、当該コンテンツデータを記憶装置１３０の実メモリに格納するようになっている。
【００３７】
上記移動体交換システム２００は、図１に示すように、上記ネットワーク３００内に設置されたサーバ等から構成されており、制御部２１０と、記憶装置２２０と、から構成されている。
ここで、上記制御部２１０は、上記サーバ上で稼動する交換制御ソフトウェア２１１により動作して、個々の移動端末機器１００の相互交換接続を行なうようになっている。
【００３８】
上記記憶装置２２０は、制御部２１０の交換制御動作に必要なデータ等を記憶していると共に、移動端末機器１００の各加入者毎に予め設けられた仮想記憶データ格納エリア２２１を備えている。この仮想記憶データ格納エリア２２１は、移動端末機器１００の記憶装置１３０のメモリ容量と比較して十分大きなメモリ容量となるように選定されている。
そして、上記制御部２１０が、ネットワーク３００を介して各移動端末機器１００から転送されてくるコンテンツデータを、上記記憶装置２２０の当該移動端末機器１００に対応する仮想記憶データ格納エリア２２１に格納する。
また、上記制御部２１０が、ネットワーク３００を介して各移動端末機器１００からコンテンツデータの読出指令が送られてきたとき、対応するコンテンツデータを上記記憶装置２２０の当該仮想記憶データ格納エリア２２１から読み出して、ネットワーク３００を介して当該移動端末機器１００に対して転送するようになっている。
【００３９】
上記無線基地局４００は、サービスエリア内に複数個分散配置されており、個々の移動端末機器１００との間で無線通信を行なうことにより、それぞれ移動端末機器１００と移動体交換システム２００との間を中継して、移動端末機器１００を移動体交換システム２００に接続し、移動体通信サービスを提供するようになっている。
【００４０】
次に、本実施形態の移動体通信システムの動作について、図２〜図４を参照して説明する。
移動体通信システムは、図２に示すコンテンツデータ格納作業，図３に示すコンテンツデータ削除作業および図４に示すコンテンツデータ読出作業の各ステップで利用される。
【００４１】
まず、コンテンツデータ格納作業について、図２のフローチャートを参照して説明する。
図２において、ステップＡ１にて、移動端末機器１００が、操作入力部１２０からの入力操作によって例えば既にダウンロードしてあるコンテンツデータの格納が指示されると、ステップＡ２にて、移動端末機器１００の制御部１１０は、その記憶装置１３０の実メモリの空き容量をチェックする。
【００４２】
次に、ステップＡ３にて、上記制御部１１０は、記憶装置１３０の実メモリの空き容量を、格納すべき当該コンテンツデータのデータ容量と比較して、空き容量がデータ容量以上である場合には、ステップＡ４にて、そのまま当該コンテンツデータを、記憶装置１３０の仮想フォルダ１３１内に格納すると共に、記憶装置１３０の実メモリに保存する。
続いて、ステップＡ５にて、上記制御部１１０は、当該コンテンツデータを、ネットワーク３００を介して移動体交換システム２００に転送する。
これを受けて、ステップＡ６にて、移動体交換システム２００の制御部２１０は、転送されてきたコンテンツデータを、その記憶装置２２０の当該移動端末機器１００の加入者が前もって登録してある仮想記憶データ格納エリア２２１に格納する。
【００４３】
これに対して、上記ステップＡ３にて、空き容量がデータ容量未満と足りない場合には、上記制御部１１０は、ステップＡ７にて、記憶装置１３０に格納されているコンテンツデータのうち、最もアクセス頻度の低いコンテンツデータを実メモリから削除し、ステップＡ２に戻る。
このとき、削除したコンテンツデータと同じコンテンツデータが、移動体交換システム２００の記憶装置２２０の仮想記憶データ格納エリア２２１にも格納されているが、この仮想記憶データ格納エリア２２１に格納されている当該コンテンツデータは削除せずに残しておく。
そして、制御部１１０は、記憶装置１３０の実メモリに、格納すべきコンテンツデータを保存するための空き領域が足りないときには、空き領域が確保できるまで、上記ステップＡ７におけるコンテンツデータの削除作業を繰返し行なう。
【００４４】
このようにして、コンテンツデータを移動端末機器１００の記憶装置１３０に格納する際、記憶装置１３０の実メモリに当該コンテンツデータを格納するための空き容量が足りないときには、最もアクセス頻度の低いコンテンツデータを削除して、空き領域を確保した後、格納すべきコンテンツデータが記憶装置１３０の実メモリに確実に保存されることになる。
したがって、実質的に移動端末機器１００の記憶装置１３０の記憶容量を超えて、コンテンツデータを保存することができると共に、実メモリの空き容量確保のために削除されたコンテンツデータについては、記憶装置１３０への格納の際に、同時にネットワーク３００を介して移動体交換システム２００の記憶装置２２０の仮想記憶データ格納エリア２２１にも格納されているので、仮想フォルダ１３１からアクセス可能である。
【００４５】
図５は、移動端末機器１００の記憶装置１３０の空き容量が足りない場合の記憶装置１３０および記憶装置２２０におけるコンテンツデータの格納状態を示しており、既に格納されているコンテンツＡ，Ｂ，Ｃに対して新しいコンテンツＤを格納する場合において、移動端末機器１００の記憶装置１３０にて、最もアクセス頻度の低いコンテンツデータ（コンテンツＣ）が削除されて、その代わりに新しいコンテンツデータ（コンテンツＤ）が格納されると共に、移動体交換システム２００の記憶装置２２０にて、新しいコンテンツデータ（コンテンツＤ）が追加格納される。
【００４６】
次に、コンテンツデータの削除作業について、図３のフローチャートを参照して説明する。
図３において、ステップＢ１にて、移動端末機器１００が、操作入力部１２０からの入力操作によって削除すべきコンテンツデータが指定されると、ステップＢ２にて、移動端末機器１００の制御部１１０は、その記憶装置１３０の実メモリ内で当該コンテンツデータを検索する。
そして、ステップＢ２で、当該コンテンツデータが見つかった場合には、上記制御部１１０は、ステップＢ３にて、仮想フォルダ１３１内にて、実メモリから当該コンテンツデータを削除する。これにより、当該コンテンツデータは、仮想フォルダ１３１からも削除されることになる。
【００４７】
次に、ステップＢ４にて、上記制御部１１０は、当該コンテンツデータの削除を、ネットワーク３００を介して、移動体交換システム２００に指示する。
また、ステップＢ２で、当該コンテンツデータが見つからなかった場合には、上記制御部１１０は、そのままステップＢ４に進む。
これを受けて、ステップＢ５にて、移動体交換システム２００の制御部２１０は、当該コンテンツデータを、その記憶装置２２０の当該移動端末機器１００の加入者が前もって登録してある仮想記憶データ格納エリア２２１で検索し、削除する。
【００４８】
このようにして、コンテンツデータを削除する際、記憶装置１３０の実メモリに当該コンテンツデータが格納されている場合には、このコンテンツデータが削除され、また記憶装置１３０の実メモリおよび移動体交換システム２００の記憶装置２２０の仮想記憶データ格納エリア２２１の双方に当該コンテンツデータが格納されている場合には、双方のコンテンツデータが削除されると共に、移動端末機器１００の記憶装置１３０の仮想フォルダ１３１からも削除される。
【００４９】
図６は、図５におけるコンテンツ格納状態から記憶装置１３０および記憶装置２２０におけるコンテンツデータ（コンテンツＢ）を削除した状態を示しており、移動端末機器１００の記憶装置１３０および移動体交換システム２００の記憶装置２２０の双方にて、コンテンツデータ（コンテンツＢ）が削除される。
【００５０】
次に、コンテンツデータの読出作業について、図４のフローチャートを参照して説明する。
図４において、ステップＣ１にて、移動端末機器１００が、操作入力部１２０からの入力操作によって例えば再生すべきコンテンツデータの読出が指示されると、ステップＣ２にて、移動端末機器１００の制御部１１０は、その記憶装置１３０の実メモリをチェックして、当該コンテンツデータを検索する。
次に、ステップＣ３にて、上記制御部１１０は、記憶装置１３０の実メモリに当該コンテンツデータが存在する場合には、ステップＣ４にて、そのまま当該コンテンツデータを読出処理する。
【００５１】
また、ステップＣ３で当該コンテンツデータが存在しない場合には、上記制御部１１０は、ステップＣ５にて、その記憶装置１３０の実メモリの空き容量をチェックする。
続いて、ステップＣ６にて、上記制御部１１０は、記憶装置１３０の実メモリの空き容量を、読出すべき当該コンテンツデータのデータ容量と比較して、空き容量がデータ容量以上である場合には、ステップＣ７にて、ネットワーク３００を介して移動体交換システム２００に当該コンテンツデータの転送を指示する。
【００５２】
また、ステップＣ６にて、空き容量がデータ容量未満と足りない場合には、上記制御部１１０は、ステップＣ８にて、記憶装置１３０に格納されているコンテンツデータのうち、最もアクセス頻度の低いコンテンツデータを実メモリから削除し、ステップＣ６に戻る。
このようにして、制御部１１０は、記憶装置１３０の実メモリに、格納すべきコンテンツデータを保存するための空き領域が足りないときには、空き領域が確保できるまで、上記ステップＣ８におけるコンテンツデータの削除作業を繰返し行なう。
【００５３】
そして、上記ステップＣ７による転送指示を受けて、上記移動体交換システム２００の制御部２１０は、ステップＣ９にて、当該コンテンツデータを、その記憶装置２２０の当該移動端末機器１００の加入者が前もって登録してある仮想記憶データ格納エリア２２１から読み出して、ステップＣ１０にて、ネットワーク３００を介して移動端末機器１００に転送する。
これにより、上記移動端末機器１００の制御部１１０は、ステップＣ１１にて、移動体交換システム２００から転送されてくる当該コンテンツデータを、記憶装置１３０の仮想フォルダ１３１内に格納し、その後ステップＣ９に戻って、当該コンテンツデータを読出処理する。
以上で、コンテンツデータの読出処理が完了する。
【００５４】
図７は、図６におけるコンテンツ格納状態から記憶装置２２０にのみ格納されているコンテンツデータ（コンテンツＣ）を読み出す状態を示しており、移動体交換システム２００の記憶装置２２０から、コンテンツデータ（コンテンツＣ）が移動端末機器１００の記憶装置１３０に転送された後、当該コンテンツデータ（コンテンツＣ）が読み出される。
【００５５】
このようにして、実質的に移動端末機器１００の記憶装置１３０の記憶容量を超えて、コンテンツデータを保存することができる。その際、実メモリの空き容量確保のために削除されたコンテンツデータについては、記憶装置１３０への格納の際に、同時にネットワーク３００を介して移動体交換システム２００の記憶装置２２０の仮想記憶データ格納エリア２２１にも格納されているので、仮想フォルダ１３１からアクセス可能である。
【００５６】
したがって、移動体交換システム２００の記憶装置２２０の仮想記憶データ格納エリア２２１のみに格納されているコンテンツデータも、移動端末機器１００の記憶装置１３０の仮想フォルダ１３１からは、仮想的に記憶装置１３０の実メモリに保存されているコンテンツデータと見かけ上代わりなく取り扱うことができる。
また、新たなコンテンツデータを移動端末機器１００の記憶装置１３０に格納する際に、空き容量が足りない場合には、優先度としてアクセス頻度の低いコンテンツデータから削除することにより、指定したコンテンツデータが移動体交換システム２００の記憶装置２２０の仮想記憶データ格納エリア２２１に格納されていることによる転送時間をできるだけ短縮することができる。
【産業上の利用可能性】
【００５７】
上述した実施形態においては、新たなコンテンツデータを移動端末機器１００の記憶装置１３０に格納する際に、空き容量が足りない場合には、制御部１１０は、優先度としてアクセス頻度の低いコンテンツデータから削除するようになっているが、これに限らず、他の優先度に基づいて、例えば優先度としてコンテンツデータのタイムスタンプの古い順にコンテンツデータを削除するようにしてもよい。
【００５８】
また、上述した実施形態においては、移動端末機器１００の制御部１１０は、新たなコンテンツデータの格納の際に、当該コンテンツデータをそのままネットワーク３００を介して移動体交換システム２００に転送するようになっているが、これに限らず、移動体交換システム２００に転送する際にはコンテンツデータをデータ圧縮すると共に、移動体交換システム２００から転送されてくる圧縮されたコンテンツデータを展開するデータ圧縮・展開手段を備えるようにしてもよい。
これにより、ネットワーク３００を介して移動体交換システム２００との間で伝送されるデータ量が、圧縮されることにより低減され、伝送時間が短縮されると共に、ネットワーク３００の伝送負荷が軽減されることになる。
【００５９】
さらに、上述した実施形態においては、移動端末機器１００の制御部１１０は、新たなコンテンツデータの格納の際に、当該コンテンツデータをそのままネットワーク３００を介して移動体交換システム２００に転送するようになっているが、これに限らず、移動体交換システム２００に転送する際にはコンテンツデータを暗号化すると共に、移動体交換システム２００から転送されてくる暗号化されたコンテンツデータを復号化するデータ暗号化手段を備えるようにしてもよい。
これにより、ネットワーク３００を介して移動体交換システム２００との間で伝送されるコンテンツデータ、そして移動体交換システム２００の記憶装置２２０の仮想記憶データ格納エリア２２１に保存されるコンテンツデータが、暗号化されていることにより、第三者が不正に当該コンテンツデータにアクセスあるいは取得したとしても、暗号化されていることにより、当該コンテンツデータに関するセキュリティが確保され得ることとなる。
【００６０】
このようにして、本発明によれば、携帯電話機やＰＨＳ等の移動端末機器にて、通話，メールや撮像手段により撮像した撮像データ等の各種コンテンツデータを、記録装置の記録容量を超えて仮想的に記録できるようにした移動体通信システムおよび移動端末機器を提供することができる。
【図面の簡単な説明】
【００６１】
【図１】本発明による移動体通信システムの一実施形態の構成を示すブロック図である。
【図２】図１の移動体通信システムにおけるコンテンツデータ格納作業の動作を示すフローチャートである。
【図３】図１の移動体通信システムにおけるコンテンツデータ削除作業の動作を示すフローチャートである。
【図４】図１の移動体通信システムにおけるコンテンツデータ読出作業の動作を示すフローチャートである。
【図５】図１の移動体通信システムにおけるコンテンツデータ格納時の双方の記憶装置のコンテンツデータ格納状態を示す概略図である。
【図６】図１の移動体通信システムにおけるコンテンツデータ削除時の双方の記憶装置のコンテンツデータ格納状態を示す概略図である。
【図７】図１の移動体通信システムにおけるコンテンツデータ読出時の双方の記憶装置のコンテンツデータ格納状態を示す概略図である。
【符号の説明】
【００６２】
１０  移動体通信システム
１００  移動端末機器
１１０  制御部
１２０  入力操作部
１３０  記憶装置
１４０  表示部
１５０  マイク
１６０  スピーカ
１７０  カメラ
２００  移動体交換システム
２１０  制御部
２２０  記憶装置
２２１  仮想記憶データ格納エリア
３００  ネットワーク（無線通信回線網）
４００  無線基地局
【図１】
2005228242.tif 000003
【図２】
2005228242.tif 000004
【図３】
2005228242.tif 000005
【図４】
2005228242.tif 000006
【図５】
2005228242.tif 000007
【図６】
2005228242.tif 000008
【図７】
2005228242.tif 000009